(57)【要約】【課題】単に装着するだけで、足を安静にした状態においても足裏に大きな磁力を付与し、血行促進効果が得られる磁気サポータを提供する。【解決手段】磁気サポータ３０は足サポータ３１と、このサポータのポケット４１に挿脱自在に入れた磁石カード１０とからなる。足サポータでは上記ポケットを、伸縮自在の編織物からなる概ね截頭円錐状の帯状体の内面側に、かつ足裏対応部位に設ける。磁石カードは、プラスチックからなる２枚のシート状基材間に複数個の永久磁石を、磁石相互間に適宜間隔をあけて挿入配置し、気密状態に封止するとともに、これら永久磁石の動きを拘束して、全体をカード型に構成し、前記永久磁石は径方向に着磁された円柱状磁石であるものとする。使用に際しては、これを長径側から足１００に挿入し、径方向に引き伸ばした状態で装着する。【選択図】図６
0003112140.tif 000002
【実用新案登録請求の範囲】
【請求項１】
無端ベルト状で伸縮自在な帯状体の内面側または外面側に、かつ、足裏に対応する部位に、磁石カードを出し入れできるポケットが設けられていることを特徴とする足サポータ。
【請求項２】
前記帯状体は概ね截頭円錐状に形成され、ポケットは帯状体の内面側に設けられ、磁石カードがポケットに、帯状体の軸線方向と平行方向に出し入れできることを特徴とする請求項１に記載の足サポータ。
【請求項３】
前記磁石カードは伸縮自在の袋に対し取り出し・収容自在であり、磁石カードは裸の状態、袋に収容した状態のいずれにおいても、前記ポケットに収納しうるものであることを特徴とする請求項１または２に記載の足サポータ。
【請求項４】
請求項１〜３のいずれかに記載の足サポータと、該サポータのポケットに出し入れできる磁石カードとからなり、
該磁石カードは、プラスチックまたはゴムからなる２枚のシート状基材間に複数個の永久磁石を、磁石相互間に適宜間隔をあけて挿入配置し、気密状態に封止するとともに、これら永久磁石の動きを拘束して、全体をカード型に構成したものであり、前記永久磁石は径方向に着磁された円柱状磁石である、
ことを特徴とする磁気サポータ。
【請求項５】
請求項１〜３のいずれかに記載の足サポータと、該サポータのポケットに出し入れできる磁石カードとからなり、
該磁石カードは、プラスチックまたはゴムからなる２枚のシート状基材間に複数個の永久磁石を、磁石相互間に適宜間隔をあけて挿入配置し、これらシート状基材の外周部同士および永久磁石近傍部位同士を熱溶着するとともに、これらシート状基材間の空気を排気することにより、永久磁石を２枚のシート状基材で挟持固定して、全体をカード型に構成したものであり、前記永久磁石は径方向に着磁された円柱状磁石である、
ことを特徴とする磁気サポータ。
【考案の詳細な説明】
【技術分野】
【０００１】
本考案は、足サポータおよび磁気サポータに関し、より詳しくは、ポケットを備えた伸縮性バンド状の足サポータおよび磁気サポータに関するもので、この磁気サポータは上記足サポータと、そのポケットに出し入れできる磁石カードとからなり、足裏に刺激を与えて血行促進効果をもたらすものである。
【背景技術】
【０００２】
磁石が放つ磁力は血液の循環を促進し、肩こりや腰痛等を改善する効果を有するため、指輪、腕輪、時計バンド、健康器具さらには磁気ネックレスやペンダントなど、健康とフアッションを兼ね備えた各種の磁石商品が開発され、市販されている。これらの中には、所望の磁力を有する磁石を肩部等の肌に粘着テープ（例えば絆創膏）等によって直接貼着することにより、肩こり等を解消しようとする治療器具がある。
【０００３】
しかしながら、肌に直接添着する治療器具の場合は、貼着に利用する粘着テープ等により「かぶれ」の症状が起こる場合があり、人によっては使用することが困難であった。また、粘着テープを剥がした時に跡が残り易く、敬遠されがちであった。さらに、入浴時や、衣服から露出した場合には非常に不格好な印象を与えるといった問題があった。そこで、肌に直接貼着するのではなく、サポータや枕カバー等、衣類や寝具に係着させた状態でその効力を得ようとする治療器具が開発されている。
【０００４】
ところで、下記特許文献１，２には、足裏に作用して血行促進効果をもたらす磁気治療器具が開示されている。以下これについて説明する。
【０００５】
特許文献１に記載された発明は、磁気エネルギによる足裏に対する血行促進効果と、突起によるマッサージ効果とを有する靴の中敷に関するものである。この中敷は、合成樹脂からなる平板状で足型形状の袋体内に、磁化された磁性粉を分散したゲル状液体を封入したもので、この中敷を挿入した靴を履いて歩行し、あるいは立ち上がるなどして中敷に荷重をかけ、上記ゲル状液体を足裏に圧接させることにより、血行促進効果と、足裏のツボ刺激によるマッサージ効果が得られるようにしたものである。
【０００６】
特許文献２に記載された発明は、足裏に作用して血行を促進する磁気治療器に関するもので、これは合成樹脂製の本体と永久磁石からなり、靴の中底、つまり足裏が接触する面に貼り付けて用いるようにした小型・薄肉の磁気治療器である。
【０００７】
【特許文献１】特開平１１−１５５６０６号公報
【特許文献２】特開２００３−３１０７７１号公報
【考案の開示】
【考案が解決しようとする課題】
【０００８】
しかしながら、特許文献１に記載された靴の中敷を使用して血行促進効果を得るためには、上記中敷を挿入した靴を履き、歩行するなどして中敷に体重をかける必要がある。また、特許文献２に記載され磁気治療器により血行促進効果を得ようとすると、同様に上記永久磁石に体重をかけることが必要となる。言い換えると、特許文献１，２の発明に係る中敷および磁気治療器にあっては、靴を着用して例えば歩行運動する必要があり、そうしないと、所期の血行促進効果が得られないという不具合がある。
【０００９】
したがって本考案の目的は、従来技術における上記不具合をなくし、単に装着するだけで、足を安静にした状態においても足裏を刺激することで血行促進効果が得られる、足裏用に好適な磁気サポータおよび、これを構成する足サポータを提供することである。
【課題を解決するための手段】
【００１０】
請求項１に記載の考案は、無端ベルト状で伸縮自在な帯状体の内面側または外面側に、かつ、足裏に対応する部位に、磁石カードを出し入れできるポケットが設けられていることを特徴とする足サポータである。
請求項２に記載の考案は、前記帯状体が概ね截頭円錐状に形成され、ポケットが帯状体の内面側に設けられ、磁石カードがポケットに、帯状体の軸線方向と平行方向に出し入れできることを特徴とする請求項１に記載の足サポータである。
請求項３に記載の考案は、前記磁石カードが伸縮自在の袋に対し取り出し・収容自在であり、磁石カードは裸の状態、袋に収容した状態のいずれにおいても、前記ポケットに収納しうることを特徴とする請求項１または２に記載の足サポータである。
【００１１】
請求項１に係る足サポートにおいて上記ポケットは、磁石カードの出し入れ口を伸縮性の布地で形成するとともに、この出し入れ口を絞る（縮径する）ことにより、ポケットに収納された磁石カードがポケッから脱出しにくいようにすることが好ましい。請求項３に係る伸縮自在の袋においても、同様の目的で磁石カードの収容口を絞ることが望ましい。
【００１２】
請求項１に係る帯状体または、請求項３に係る袋を構成するための生地としては、従来公知の伸縮性布地（伸縮性の編織物）を使用することができる。
この伸縮性布地の具体例としては、以下のものが挙げられる。
（１）弾性繊維（ポリウレタンなどの熱可塑性エラストマーからなる繊維）を用いたもの、
（２）捲縮加工された合成繊維を使用したもの、
（３）糸状に加工した天然ゴムまたは合成ゴムを使用したもの。
これらの場合、天然繊維または、捲縮加工されていない通常の合成繊維を併用して交織した伸縮性布地とすることも可能である。
また、上記帯状体および袋は、その実質的全体が伸縮自在であることが好ましい。
【００１３】
請求項４の考案は、請求項１〜３のいずれかに記載の足サポータと、該サポータのポケットに出し入れできる磁石カードとからなり、該磁石カードは、プラスチックまたはゴムからなる２枚のシート状基材間に複数個の永久磁石を、磁石相互間に適宜間隔をあけて挿入配置し、気密状態に封止するとともに、これら永久磁石の動きを拘束して、全体をカード型に構成したものであり、前記永久磁石は径方向に着磁された円柱状磁石である、ことを特徴とする磁気サポータである。
【００１４】
請求項５の考案は、請求項１〜３のいずれかに記載の足サポータと、該サポータのポケットに出し入れできる磁石カードとからなり、該磁石カードは、プラスチックまたはゴムからなる２枚のシート状基材間に複数個の永久磁石を、磁石相互間に適宜間隔をあけて挿入配置し、これらシート状基材の外周部同士および永久磁石近傍部位同士を熱溶着するとともに、これらシート状基材間の空気を排気することにより、永久磁石を２枚のシート状基材で挟持固定して、全体をカード型に構成したものであり、前記永久磁石は径方向に着磁された円柱状磁石である、ことを特徴とする磁気サポータである。
【００１５】
請求項５の考案に係る磁石カードでは、（１）前記２枚のシート状基材における前記加熱溶着部を避けた所定部位に通気用の貫通孔を形成するとともに、該貫通孔の近傍部において前記２枚のシート状基材を熱溶着したもの、（２）前記２枚のシート状基材は形状が長方形であり、前記複数個の永久磁石が、直径方向に着磁された棒状磁石であるもの、（３）前記棒状磁石と貫通孔を、２枚のシート状基材間に交互に碁盤目状に、かつ相互間に適宜間隔をあけて配置し、直径方向で隣り合う棒状磁石では、配置方向を同一にして、かつ上端部および下端部を揃えて配置したものが、それぞれ好ましい。
【００１６】
請求項４，５の考案に係る磁石カードでは、上記シート状基材としてプラスチック製のシート（狭義）、フィルム（狭義）もしくは不織布、またはゴム製のシートを使用することができる。上記シート状基材用のプラスチックとしては、軟質で可撓性に富むものが好ましいが、ポリエステル樹脂、ポリアミド樹脂などのエンジニアリングプラスチックであっても、フィルム（シートに比べてごく薄く成形したもの）であれば、所望により採用することもできる。ゴム製のシートとしては、天然ゴムまたは合成ゴム（シリコーンゴム、ポリウレタンゴム等）が使用できる。シート状基材は、軟質ポリ塩化ビニル、軟質ポリエチレンまたは熱可塑性エラストマーで構成すること、また、シート状基材を透明または半透明とすることが特に好ましい。
【００１７】
永久磁石を２枚のシート状基材間に気密状態に封止する手段としては、熱溶着のほかに接着（接着剤を使用）、または粘着（粘着剤を使用）が採用できる。さらに、上記「永久磁石の動き拘束」とは、多少の動きがある場合のほか、「固着」を含んでいる。すなわち、永久磁石の動き拘束の手段としては、（ａ）永久磁石を２枚のシート状基材で挟持するもの、（ｂ）２枚のシート状基材の少なくとも一方に凹部を形成し、これに永久磁石を収納するもの、（ｃ）接着剤または固着剤により永久磁石を２枚のシート状基材の少なくとも一方に固着するものが挙げられる。
【００１８】
上記シート状基材は、形状が長方形（正方形を含む）であることが好ましく、磁石カードにおける永久磁石の配置態様を簡単に設定することができ、磁石カード使用時の利便性も高まる。また、上記シート状基材として、透明または半透明のものを使用することで、磁石カードにおける永久磁石の形状・寸法や、配置状態を容易に確認することが可能となる。なお、永久磁石として、円筒型またはカプセル型のような円柱状の永久磁石とすることにより、磁力を大きくすることができる。
【００１９】
本考案において、永久磁石を２枚のシート状基材間に挿入する場合の態様としては、上下各１枚のシート状基材間に永久磁石を挿入したものが典型例であるが、この典型例に係る磁石カードを構成する２枚のシート状基材のうち片側または両側にスナップ式のホックを取り付けておき、このフックを介して別のシート状基材を重ね合わせて取り付けることにより、人体に対する永久磁石の磁力を適宜値に低下させることも可能である（人体に与える磁力の調節）。
【００２０】
本考案に係る磁石カードを製造するには例えば以下の方法、すなわち、軟質合成樹脂（例えば、軟質ポリ塩化ビニルや軟質ポリエチレン、さらにはポリエステル系エラストマー等の熱可塑性エラストマー）からなるシート状基材上に複数の永久磁石を、相互間に適宜間隔をあけて配置し、これらの永久磁石を同じく軟質合成樹脂からなる他方のシート状基材で覆い、減圧条件下で上記２枚のシート状基材の外周部同士を、適宜温度で加熱しながらプレスすることにより溶着するか、接着剤で接着するか、または粘着剤で粘着する方法が採用できる。
【００２１】
また、本考案の磁石カードでは、２枚のシート状基材の外周部同士および、該２枚のシート状基材における永久磁石挟持部の近傍部位をラミネート（溶着、接着または粘着）することにより密着部を形成した構造とすることが望ましい。さらに、２枚のシート状基材では、上記密着部のうち、外周部と永久磁石とを避けた所定の部位に通気用の貫通孔を形成することが望ましい。
【００２２】
本考案の磁気サポータでは、所定の磁石カードを構成する永久磁石の形状・寸法およびこの磁石カードにおける配置態様を適正なものに設定することにより、血行促進効果と、足裏のツボ刺激によるマッサージ効果が同時に得られるように構成することも可能である。また、永久磁石と、足裏のつぼを刺激するための突起を、適宜の態様で（例えば、永久磁石と突起を交互に）配置することもできる。
【００２３】
また、所望により上記伸縮自在の帯状体をポリウレタン等の熱可塑性エラストマーからなる概ね台形状の第１の弾性シートと、同じく熱可塑性エラストマーからなり、概ね長方形で第１の弾性シートより小さい第２の弾性シートとで構成することもできる。この場合、第１の弾性シートの適所に通気用の貫通孔を多数形成するとともに、片面の上記貫通孔を避けた部位に第２の弾性シートを貼着してポケットを形成した後、第１の弾性シートの端部同士を接着剤等の手段で結合して概ね截頭円錐状に形成して足サポータとする。
【００２４】
さらに、所望により以下の磁気サポータを構成にすることも可能である。これは、帯状体の内面側の足裏に対応する部位と、上記袋の片面とにマジックテープ（登録商標）を設け、上記磁石カードを収容した袋を、これらのマジックテープ（登録商標）を介して帯状体の上記足裏対応部位に係止した磁気サポータである。
【００２５】
なお、本明細書では、「２枚のシート状基材…」と記載されているが、これは「一対のシート状基材…」と同一の意味であり、シート状基材が全体で２枚である場合には限定されない。つまり、対をなすシート状基材の少なくとも一方は、１枚ものであっても良いし、複数枚の材料を積層したものであってもよい。例えば、対をなすシート状基材の両方に２層積層タイプのシート状基材を使用した場合には、シート状基材は全体で４枚となる。
【考案の効果】
【００２６】
請求項１の足サポータでは帯状体が伸縮自在であるから、このサポータを足に挿入装着（足の裏から足の甲にわたって装着）して足を曲げたり、伸ばしたり、歩行したりした際に、足の形に的確に順応して変形・伸縮する結果、このサポーに皺が発生したり、嵩ばったり、ズレ落ちたりする不具合は殆ど発生しない。
請求項２の足サポータは、帯状体が概ね截頭円錐状に形成されているから、足への挿入装着を、帯状体の長径側からワンタッチで簡便に行うことができるのに加えて、このように装着したときには、長径側が足の上部に、短径側が足の下部に位置するから大変好都合である。また、ポケットを所定の態様で設けたから、ポケットに対する磁石カードの出し入れに便利である。
請求項３の足サポータでは、磁石カードを伸縮自在の袋に収容することで、袋入り磁石カードの全体がコンパクトな形態になる。
とくに、請求項１〜３に係る帯状体および袋を構成するための生地として、公知の伸縮性編織物を使用することで、これら帯状体および袋の通気性を確保することができる。
【００２７】
請求項４，５に係る磁気サポータは、請求項１〜３のいずれかに記載の足サポータと、該サポータのポケットに出し入れできる、所定構成の磁石カードとからなるため、これら足サポータ単独の長所（請求項別に記載した上記した利点）および、上記磁石カード単独の利点が得られるうえに、これら足サポータと磁石カードの組み合わせによる相乗効果が得られる。本考案では永久磁石は径方向に着磁された円柱状磁石であるため、磁力を強くすることができ、健康付与効果が大きい。
【００２８】
請求項４，５に係る磁気サポータはとくに、伸縮自在な帯状体の弾性力により磁石カードを足裏に間接的に圧接させるように構成したため、単に装着するだけで、人体を安静にした状態においても、足裏が磁石カードで刺激される。したがって、この磁気サポータは就寝中や、自宅で寛いでいるときに使用することで、顕著な血行促進効果することができる。この場合、磁石カードや足サポータに体重をかけることはないので、ポケットに縫合部等による多少の突状部があっても、何ら違和感は生じない。
【００２９】
また、たとえば請求項３の足サポータと上記磁石カードとの組み合わせによる磁気サポータでは、磁石カードを上記袋に入れることなく、裸のままポケットに入れて使用することで、磁石カードの比較的に強い磁力による血行促進効果を得ることができる。また、磁石カードを上記袋に入れた状態でポケットに入れて使用すれば、磁石カードの比較的に弱い磁力による血行促進効果が得られる。このように、上記袋を使用／不使用に切り替えることにより、磁石カードによる磁力の影響を弱／強に設定することができる。
【００３０】
また、上記磁石カードは梱包や搬送が便利であり、この磁石カードを取り扱った時にカード内で永久磁石の位置が大きくずれることがなく、複数の磁石の配置位置を、この磁石カード製造当初と同一、またはほぼ同一の状態に拘束することができるため、利便性の高い血行促進用具となる。さらに、永久磁石を２枚のシート状基材間に封止したから、磁石カード外面の汚れ等の影響は磁石カードの内部に及ばない。この磁石カードの外面が汚れた場合にはこれを洗浄すればよいし、水をかぶった場合には乾燥させればよく、内部の永久磁石が汚れたり、水が付着したりする心配がない。
【００３１】
さらに、請求項４，５の考案に係る磁石カードでは、シート状基材を軟質ポリ塩化ビニル、軟質ポリエチレンまたは熱可塑性エラストマーで構成することにより、可撓性に富むものとなり、ハンドリング時に折り曲げ力が加わっても、この磁石カードが損傷したり、折り目がついたりする不具合がない。また、この磁石カードを用いて本考案に係る磁気サポータを構成した場合、足裏の曲面に倣って容易に変形するから、この磁気サポータを着用したときに違和感が生じたり、装着状態での外観が悪化したりすることがない。また、上記磁石カードでは、シート状基材を透明または半透明とすることで、内部の永久磁石を容易に観察・点検することができ、永久磁石に生じた異常を早期に発見することができる。
【００３２】
とくに、請求項５に係る磁気サポータを構成する磁石カードでは、永久磁石を２枚のシート状基材で真空パックするものであるから、この磁石カードを簡便な工程で安価に製造することができるのに加えて、この磁石カードの厚みをごく薄く仕上げることができる。さらに、永久磁石のシート状基材への固定構造が簡単になる。
【００３３】
また、請求項５に係る上記磁石カードでは、以下の効果が得られる。
（１）２枚のシート状基材における前記加熱溶着部を避けた所定部位に通気用の貫通孔を形成するとともに、該貫通孔の近傍部において前記２枚のシート状基材を熱溶着した構造とすることにより通気性が高まり、したがって、この磁石カードを用いることで、通気性にも富む磁気サポータを構成することが可能となる。また、
（２）前記２枚のシート状基材を形状が長方形とし、前記複数個の永久磁石として直径方向に着磁された棒状磁石を使用することにより、この磁石カードの磁力を所望の値に設定すること、およびこの磁石カードのコンパクト化が容易であるうえ、安価に提供することが可能となる。さらに、
（３）前記棒状磁石と貫通孔を、２枚のシート状基材間に交互に碁盤目状に、かつ相互間に適宜間隔をあけて配置し、直径方向で隣り合う棒状磁石では、配置方向を同一にして、しかも上端部および下端部を揃えて配置することで、低磁力の磁石を用いても高磁力を得ることができる。すなわち、それぞれの永久磁石単独の磁力を合計したものよりも高い強度の磁力を足裏に与えることができる。そのうえ、この磁石カードを、これに何らの損傷を与えることなく縦横両方向に容易に屈曲させることができる。
【考案を実施するための最良の形態】
【００３４】
以下、本考案の実施形態に係る磁気サポータについて、図面を参照して説明する。この磁気サポータ３０（図６）は図１および図２に示す、ポケット４１を備えた伸縮性バンド状の足サポータ３１と、該サポータの上記ポケット４１に出し入れできる磁石カード１０（図５）とからなる。
【００３５】
まず図面について説明すると、図１は足サポータの概略正面図、図２はその平面図、図３はその展開図である。図４は伸縮自在の生地からなる袋の形状および、この袋に図５の磁石カードを入れた状態を示す説明図である。図５は図１の足サポータとの組み合わせにより磁気サポータを構成する磁石カードに係るもので、（ａ）は平面図、（ｂ）はそのＡ−Ａ線断面図である。図６は上記磁気サポータを足に適用した状態を示す側面図、図７はその底面図である。
【００３６】
上記足サポータ３１は、公知の伸縮性布地（伸縮性編織物）３２を用い、例えば以下の手順で作製する。すなわち、この生地３２を図３に示すように概ね台形状に裁断・成形し、上底部および下底部では折返し・縫合により補強する。符号３３，３４はこの補強部を示す。つぎに、この生地３２の長手方向中央部に、同じく伸縮性布地によるポケット４１を縫合により設ける。符号４２は縫合部である。つぎに図１、図２に示すように、このポケット４１が内面側に位置するように台形状布地３２を丸め、その長手方向の端部同士を縫合により結合・補強（符号３５はこの結合・補強部を示す）して、全体を無端状で概ね截頭円錐状に構成するとともに、足サポータの実質的全体を伸縮自在なものとする。同様に、ポケット４１を形成する布地片の実質的全体を伸縮性のものとする。なお図２、図３において符号４３はポケット４１の口部である。
【００３７】
上記足サポータ３１のポケット４１は、図５に示す磁石カード１０をそのまま（裸のまま）、あるいは所望により、図４に示す実質的全体が伸縮性の袋５１に収容した状態で、この足サポータ３１の軸線方向と平行な方向（図１、図３では上下方向）に出し入れできるように構成する（図３）。この足サポータ３１は、磁石カード１０をポケット４１に入れて磁気サポータ３０とし、その直径方向に引き伸ばした状態で足に挿入・装着して使用するものであるが、このように装着したときには、足サポータがそのまま引き伸ばし状態にあり、かつポケット４１が、したがって磁石カード１０が足裏に対面する位置に位置決めできる（図６、図７）ように、このポケット４１の配置位置を設定する。
【００３８】
上記伸縮性の袋５１は、図４に示すように足サポータ３１と同じく伸縮性布地（伸縮性の編織物）で構成するが、この場合、例えば弾性繊維を使用し、縫合部のないニット品として作製するとともに、収容した磁石カードが袋５１から脱出しにくいように磁石カードの収容口５２を絞る（縮径する）ことが好ましい（符号５２ａは絞り部）。縫合部を設けない袋５１では、凹凸部分を最小限にとどめることができるため、袋５１入りの磁石カードを足サポータ３１のポケット４１に挿入して使用する場合に、磁石カードに体重をかけたときにおいても足裏に、袋５１に起因する違和感が生じないという利点がある。
【００３９】
また、ポケット４１を弾性繊維のニット生地で構成するとともに、その口部４３を上記と同様に絞ることで、ポケット４１からの磁石カードの脱出を防止することができる。さらに、上記ポケット４１は通常、上端部を開放して磁石カードの出し入れ口とするが、これを開閉自在としてもよい。開閉自在とするには例えば、ポケット本体の上端部と、これに対応する足サポータ３１部位とにマジックテープ（登録商標）による係止片を設け、これらの係止片を互いに係脱自在とすればよい。なお、所望により、ポケット４１を足サポータ３１の外面側に設けてもよいが、この場合には、ポケットからの磁石カードの脱出を防止するために、上記と同様の構成とするのが望ましい。
【００４０】
図５に示す磁石カード１０は、形状・寸法・磁力が同一で円筒型（またはカプセル型）の永久磁石１１を複数、長方形で形状・寸法が合同である上下２枚のシート状基材２１，２２で真空パックすることによって気密状態に封入し、全体をカード型に構成したものである。またこの磁石カードでは、図５（ａ）の平面図において、永久磁石１１（１１Ａ〜１１Ｅ）と円形貫通孔２５が碁盤目状に、すなわちシート状基材２１，２２の縦方向および横方向において交互に配置された構造となっている。
【００４１】
この磁石カード１０では、軟質ポリ塩化ビニル、軟質ポリエチレン等の軟質合成樹脂からなり、透明でかつ十分な可撓性を有する上下２枚のシート状基材２１，２２の一方に複数の永久磁石１１を島状に配置し、これら永久磁石の配置部分以外では減圧操作により上下２枚のシート材同士を密着（密着部２３）させ、所定の部位では加熱プレス機で熱溶着（溶着部２４）して永久磁石１１をシート状基材２１，２２で挟持することにより、これら磁石の移動を拘束すると同時に、同じく上記加熱プレス機によって、シート状基材２１と２２の溶着部のうち、外周部と永久磁石１１とを避けた所定の部位に通気用の貫通孔２５を形成したものである。
【００４２】
上記磁石カード１０の製造に際しては、加熱プレス用突起（溶着用突起）、および穿孔用刃部を備えた所定構造の加熱プレス機（図略）を用意しておき、一方のシート状基材２１上の所定位置に永久磁石１１を１個ずつ配置し、他方のシート材２１をシート状基材２１上に重ね、これらシート状基材２１，２２の外周部および、永久磁石１１の近傍部位を適宜温度で加熱しながらプレスすることにより溶着する。これと同時に、穿孔用刃部により上記貫通孔２５を形成するとともに、この貫通孔の直近部位では上下２枚のシート状基材をリング状に溶着する。
【００４３】
さらに具体的に説明すると、上記磁石カード１０の製造は、例えば以下の工程に従えばよい。
（１）減圧状態と大気開放状態とに切替え操作が可能な容器内を大気開放状態とし、この容器内に形状・寸法が同一である２枚の、軟質合成樹脂製のシート状基材の一方をセットする第１工程、
（２）該シート状基材上に複数の永久磁石を、相互間に適宜間隔をあけて配置する第２工程、
（３）上記一方のシート状基材上に他方のシート状基材を、これら２枚のシート状基材同士が合同状態で重なりうるように位置決めする第３工程、
（４）上記永久磁石を上記他方のシート状基材で覆う第４工程、
（５）減圧操作により上記容器内を減圧状態に維持する第５工程、
（６）上記２枚のシート状基材の所定部位を、適宜温度で加熱しながらプレスする第６工程（ラミネートおよび貫通孔形成工程）、
（７）大気開放操作により容器内を大気圧条件に戻し、作製された磁石カードを取り出す第７工程。
【００４４】
図５の磁石カードでは、５個の永久磁石１１Ａ−１１Ｅは、その直径方向に着磁されたもので、その寸法・形状・磁力が同一である。さらに、磁石１１Ａと１１Ｂ、磁石１１Ｃと１１Ｄはそれぞれ、同一方向に揃えて並列に、上端部および下端部を揃えて、かつこれらの直径方向に適宜間隔をあけて配置されているから、低磁力の磁石を用いて高磁力を得ることができる。
【００４５】
なお、上記加熱プレスによる溶着に替えて、２枚のシート状基材の所定部位を接着剤で接着する方法あるいは、粘着剤で粘着する方法を採用することもできる。また、上記永久磁石１１としては、希土類磁石の表面に金、ロジウムまたはチタンによるメッキ処理を施したもの採用することもできるし、永久磁石１１としてボタン型のものを使用することも可能である。
【００４６】
永久磁石１１は磁力が特に限定されるものではないが、通常２３０ミリテスラ以上、２５０ミリテスラ以下のものが用いられる。医療用具としては、３０〜２００ミリテスラが好ましいので、遮蔽物により適宜に磁力を弱めて使用することも可能である。磁力が小さすぎると、血行促進効果が少なくなる。
【００４７】
本実施形態では、磁石カード１０をそのまま、または図４に示すように袋５１に収容した状態で、足サポータ３１のポケット４３に入れて磁気サポータとし、これを長径側から足に挿入することで図６、図７に示すように装着する。この場合、足サポータ３１は足１００に、引き伸ばし状態で装着されている（言い換えると足サポータ３１の径を、足１００の径より小さくしておく）ため、この足サポータ３１は足１００の全周にわたって密着するとともに、磁石カード１０内の永久磁石は、シート状基材（２１または２２）およびポケット４１を介して足裏１０１に密着する。
【００４８】
以上の説明で明らかなように、本実施形態の磁気サポータによれば、以下の効果が得られる。
（１）図６、図７のように単に装着するだけで、人体を安静にした状態においても、足裏１０１が磁石カード１０で刺激される。したがって、この磁気サポータは就寝中や、自宅等で寛いでいるときに使用することで、顕著な血行促進効果をもたらすことができる。
（２）この磁気サポータは、全体を比較的薄手のものに仕上げることができるから、（ａ）磁気サポータを装着した状態のまま、板の間や畳の上を歩行したり、（ｂ）磁気サポータを装着した状態で靴を履いて歩行したりしても、殆ど違和感は生じない。また、（ｂ）磁気サポータを装着した状態で靴下や足袋を履いても、外観は殆ど低下しない。
（３）磁石カードを構成する永久磁石の形状・寸法およびこの磁石カードにおける配置態様を適正なものに設定することにより、血行促進効果と、足裏のツボ刺激によるマッサージ効果が同時に得られるように構成することも可能である。また、永久磁石と、足裏のつぼを刺激するための突起を、適宜の態様で（例えば、永久磁石と突起を交互に）配置することもできる。このような、血行促進効果とマッサージ効果を同時に得るには、上記構成の磁気サポータを足に装着した状態で歩行するか、あるいは体重を磁石カード１０にかければよい。
【００４９】
（４）磁石カード１０をポケット４１から取り出すことにより、足サポータ３１を通常の衣類と同様に洗濯することができる。したがって、従来の医療用衣服とは違って、洗濯により永久磁石や、これを装着した衣服部位に損傷等が生じることがなく、磁石カード１０を長期間使用することが可能である。
（５）永久磁石の配置個数・配置態様・磁力の大小等が異なる種々の磁石カードを用意しておき、使用する人の体力や体調、さらには目標とする血行促進効果に応じた好ましい磁力および磁力分布を有する磁石カードを選ぶことができる。
（６）従来の医療用衣服では、永久磁石を基材に例えば絆創膏で固着してあるため、「かゆみ」や「むれ」が発生することがあったが、本考案の磁気サポータでは、磁力が大きい磁石カードであっても、これを適宜の布で包んでポケットに入れて使用することにより、好ましい大きさの磁力に調整して使用することができる利便性がある。
（７）上記のように磁気サポータは、足サポータ３１の伸縮性生地が引き伸ばされた状態で足に装着され、かつ、磁石カードでは、適宜箇所に貫通孔が形成されているから、この磁石カードの通気性、したがって磁気サポータの通気性を確保することができるので、比較的長時間、装着しても、「むれ」や「かゆみ」が生じにくい。
【００５０】
なお、本考案に係る磁気サポータは、所望により脚（ふくらはぎ、太もも）、腕、手首など、人体の種々の部位に適用することができる。この場合、サポータ部分および磁石カードの形状・寸法等を、磁気サポータの適用部位に応じて適宜に決定すればよい。
【図面の簡単な説明】
【００５１】
【図１】本考案の実施形態に係るもので、磁気サポータを構成する足サポータの一例を示す概略正面図である。
【図２】図１の足サポータの平面図である。
【図３】図１の足サポータの展開図である。
【図４】伸縮自在の生地からなる袋の形状および、この袋に図５の磁石カードを入れた状態を示す説明図である。
【図５】本考案の実施形態に係る磁気サポータを構成する磁石カードの一例を示すもので、（ａ）は平面図、（ｂ）はそのＡ−Ａ線断面図である。
【図６】図５の磁気サポータを足に適用した状態を示す側面図である。
【図７】図６の底面図である。
【符号の説明】
【００５２】
１０  磁石カード
１１  永久磁石
１１Ａ〜１１Ｅ  永久磁石
２１，２２  シート状基材
２３  密着部
２４  溶着部
２５  貫通孔
３０  磁気サポータ
３１  足サポータ
３２  台形状布地（伸縮性布地）
３３，３４  補強部
３５  結合・補強部
４１  ポケット
４２  縫合部
４３  口部
５１  袋
５２  収容口
５２ａ  絞り部
１００  足
１０１  足裏
【図１】
0003112140.tif 000003
【図２】
0003112140.tif 000004
【図３】
0003112140.tif 000005
【図４】
0003112140.tif 000006
【図５】
0003112140.tif 000007
【図６】
0003112140.tif 000008
【図７】
0003112140.tif 000009